(57)【要約】      （修正有）【課題】電力増幅装置の前置歪みシステム及びその方法を提供する。【解決手段】アナログ入力信号をディジタル信号に変換するためのアナログ−ディジタル変換部５１０と、電力増幅装置からの増幅特性情報を前置歪み計算部に伝達するための通信制御部５５０と、上記通信制御部からの増幅特性情報と上記アナログ−ディジタル変換部からの入力信号に基づいて上記増幅特性情報の逆増幅特性情報を計算するための上記前置歪み計算部５６０と、上記前置歪み計算部からの逆増幅特性情報に従って上記アナログ−ディジタル変換部からのディジタル入力信号を前置歪みさせるための前置歪み部５２０と、上記前置歪み部からのディジタル入力信号をアナログ信号に変換するためのディジタル−アナログ変換部５３０と、上記ディジタル−アナログ変換部からの信号を電力増幅して出力し、上記通信制御部に上記増幅特性情報を伝達するための上記電力増幅装置５４０と、を含む。【選択図】図５
2011211684.tif 000002
【特許請求の範囲】
【請求項１】
電力増幅装置であって、
アナログ入力信号をディジタル信号に変換するための第１アナログ−ディジタル変換部と、
前記アナログ入力信号を電力増幅するための電力増幅部と、
前記電力増幅部で増幅された信号を減衰させるための減衰部と、
前記減衰部で減衰されたアナログ信号をディジタル信号に変換するための第２アナログ−ディジタル変換部と、
前記第１アナログ−ディジタル変換部からの信号で前記電力増幅装置の入力特性を抽出し、前記第２アナログ−ディジタル変換部からの信号で前記電力増幅装置の出力特性を抽出して増幅特性情報を伝達するための特性抽出部と、
前記特性抽出部から伝達を受けた増幅特性情報を格納するための電力増幅制御部と、
を含むことを特徴とする、電力増幅装置。
【請求項２】
前記電力増幅制御部は、
前記特性抽出部から伝達を受けた前記電力増幅装置の入出力特性情報（増幅特性情報）を前記電力増幅装置の温度に従って格納することを特徴とする、請求項１に記載の電力増幅装置。
【請求項３】
前記電力増幅制御部は、
前記電力増幅装置の温度変化に従う入出力信号のＡＭ／ＡＭ（Ａｍｐｌｉｔｕｄｅ  Ｍｏｄｕｌａｔｉｏｎ／Ａｍｐｌｉｔｕｄｅ  Ｍｏｄｕｌａｔｉｏｎ）、ＡＭ／ＰＭ（Ａｍｐｌｉｔｕｄｅ  Ｍｏｄｕｌａｔｉｏｎ／Ｐｈａｓｅ  Ｍｏｄｕｌａｔｉｏｎ）特性情報（増幅特性情報）を格納することを特徴とする、請求項２に記載の電力増幅装置。
【請求項４】
電力増幅装置具現方法であって、
アナログ入力信号をディジタル信号に変換する第１信号変換ステップと、
前記アナログ入力信号を電力増幅し、前記電力増幅されたアナログ信号を減衰させ、前記減衰されたアナログ信号をディジタル信号に変換する第２信号変換ステップと、
前記第１信号変換ステップで変換された信号から前記電力増幅装置の入力特性を抽出し、前記第２信号変換ステップで変換された信号から前記電力増幅装置の出力特性を抽出して増幅特性情報を検出するステップと、
前記検出された増幅特性情報を格納する格納ステップと、
を含むことを特徴とする、電力増幅装置具現方法。
【請求項５】
前記格納ステップは、
前記検出された前記電力増幅装置の入出力特性情報（増幅特性情報）を前記電力増幅装置の温度に従って格納することを特徴とする、請求項４に記載の電力増幅装置具現方法。
【請求項６】
前記格納ステップは、
前記電力増幅装置の温度変化に従う入出力信号のＡＭ／ＡＭ（Ａｍｐｌｉｔｕｄｅ  Ｍｏｄｕｌａｔｉｏｎ／Ａｍｐｌｉｔｕｄｅ  Ｍｏｄｕｌａｔｉｏｎ）、ＡＭ／ＰＭ（Ａｍｐｌｉｔｕｄｅ  Ｍｏｄｕｌａｔｉｏｎ／Ｐｈａｓｅ  Ｍｏｄｕｌａｔｉｏｎ）特性情報（増幅特性情報）を格納することを特徴とする、請求項５に記載の電力増幅装置具現方法。
【請求項７】
前置歪みシステムであって、
アナログ入力信号をディジタル信号に変換するためのアナログ−ディジタル変換部と、
電力増幅装置からの増幅特性情報を前置歪み計算部に伝達するための通信制御部と、
前記通信制御部からの増幅特性情報と前記アナログ−ディジタル変換部からの入力信号に基づいて前記増幅特性情報の逆増幅特性情報を計算するための前記前置歪み計算部と、
前記前置歪み計算部からの逆増幅特性情報に従って前記アナログ−ディジタル変換部からのディジタル入力信号を前置歪みさせるための前置歪み部と、
前記前置歪み部からのディジタル入力信号をアナログ信号に変換するためのディジタル−アナログ変換部と、
前記ディジタル−アナログ変換部からの信号を電力増幅して出力し、前記通信制御部に前記増幅特性情報を伝達するための前記電力増幅装置と、
を含むことを特徴とする、前置歪みシステム。
【請求項８】
前記電力増幅装置は、
前記ディジタル−アナログ変換部からの前置歪みされた入力信号を電力増幅して出力するための電力増幅部と、
既に格納されている前記電力増幅装置の増幅特性情報（入出力特性情報）を前記通信制御部に伝達するための電力増幅制御部と、
を含むことを特徴とする、請求項７に記載の前置歪みシステム。
【請求項９】
前記増幅特性情報は、
前記電力増幅装置の温度変化に従う入出力信号のＡＭ／ＡＭ（Ａｍｐｌｉｔｕｄｅ  Ｍｏｄｕｌａｔｉｏｎ／Ａｍｐｌｉｔｕｄｅ  Ｍｏｄｕｌａｔｉｏｎ）、ＡＭ／ＰＭ（Ａｍｐｌｉｔｕｄｅ  Ｍｏｄｕｌａｔｉｏｎ／Ｐｈａｓｅ  Ｍｏｄｕｌａｔｉｏｎ）特性情報であることを特徴とする、請求項８に記載の前置歪みシステム。
【請求項１０】
前置歪み方法であって、
アナログ入力信号をディジタル信号に変換するステップと、
既に格納されている電力増幅装置の増幅特性情報の伝達を受けるステップと、
前記伝達を受けた増幅特性情報と前記ディジタル信号に変換された入力信号に基づいて前記増幅特性情報の逆増幅特性情報を計算するステップと、
前記ディジタル信号に変換された入力信号を前記計算された逆増幅特性情報に従って前置歪みさせるステップと、
前記前置歪みされたディジタル入力信号をアナログ信号に変換するステップと、
前記アナログ信号に変換された信号を電力増幅して出力し、前記増幅特性情報を伝達するステップと、
を含むことを特徴とする、前置歪み方法。
【請求項１１】
前記増幅特性情報は、
前記電力増幅装置の温度変化に従う入出力信号のＡＭ／ＡＭ（Ａｍｐｌｉｔｕｄｅ  Ｍｏｄｕｌａｔｉｏｎ／Ａｍｐｌｉｔｕｄｅ  Ｍｏｄｕｌａｔｉｏｎ）、ＡＭ／ＰＭ（Ａｍｐｌｉｔｕｄｅ  Ｍｏｄｕｌａｔｉｏｎ／Ｐｈａｓｅ  Ｍｏｄｕｌａｔｉｏｎ）特性情報であることを特徴とする、請求項１０に記載の前置歪み方法。
【発明の詳細な説明】
【技術分野】
【０００１】
本発明は、増幅特性情報を有する電力増幅装置及びその方法とそれを用いた前置歪みシステム及びその方法に関し、より詳しくは事前に電力増幅装置の温度変化に従う入出力信号のＡＭ／ＡＭ（Ａｍｐｌｉｔｕｄｅ  Ｍｏｄｕｌａｔｉｏｎ／Ａｍｐｌｉｔｕｄｅ  Ｍｏｄｕｌａｔｉｏｎ）、ＡＭ／ＰＭ（Ａｍｐｌｉｔｕｄｅ  Ｍｏｄｕｌａｔｉｏｎ／Ｐｈａｓｅ  Ｍｏｄｕｌａｔｉｏｎ）特性情報（増幅特性情報）を電力増幅装置の内部の格納装置に格納して、ディジタル前置歪みシステムにおける上記格納された増幅特性情報に基づいて電力増幅装置の非線形性を補償することによって、電力増幅装置の出力信号に対して線形特性を保証し、ディジタル前置歪みシステムの設備の簡素化及び費用低減のための増幅特性情報を有する電力増幅装置及びその方法とそれを用いた前置歪みシステム及びその方法に関する。
【背景技術】
【０００２】
電力増幅装置は、内部の非線形的な素子（例：トランジスタ等）の影響により大きさの大きい信号の入力を受けるようになる場合、非線形的な歪み特性を有する信号を出力するようになる。現在のディジタル通信において電力増幅装置の非線形的な歪み特性は隣接チャンネル間の干渉（ａｄｊａｃｅｎｔ  ｃｈａｎｎｅｌ  ｉｎｔｅｒｆｅｒｅｎｃｅ）の結果をもたらすようになって通信システムに大きい問題となっている。
【０００３】
このような非線形的な歪み特性を減らすためにバックオフ（Ｂａｃｋ  ｏｆｆ）、フィードバック（Ｆｅｅｄｂａｃｋ）、フィードフォワード（ＦｅｅｄＦｏｒｗａｒｄ）、及び前置歪み（Ｐｒｅｄｉｓｔｏｒｔｉｏｎ）等、種々の方法が使われてきた。特に、前置歪み方法は設備の複雑度及び費用が低く、ディジタル方式の具現により、一層精密に非線形的な歪み特性を補償することができる。
【０００４】
一般に、前置歪み方法は電力増幅装置の非線形的な歪み特性を用いて電力増幅装置の前端で電力増幅装置の非線形的な歪み特性と反対になる特性により入力信号を歪ませて電力増幅装置に伝達することによって、電力増幅装置の出力を線形化する方法である。
【０００５】
図１は、一般的な前置歪みシステムの一実施形態の構成図である。
【０００６】
図１に示すように、前置歪み計算部１０５は、第１アナログ−ディジタル変換部１００でディジタル信号に変換された入力信号と電力増幅装置１０３からカップリング部１０４及び減衰部１０７を経て第２アナログ−ディジタル変換部１０６でディジタル信号に変換された出力信号の入力を受けて電力増幅装置１０３の非線形的な歪み特性（ＡＭ／ＡＭ、ＡＭ／ＰＭ）の逆を計算する。
【０００７】
これをより詳細に説明すると、上記カップリング部１０４は電力増幅装置１０３から出力される出力信号を一部カップリング（Ｃｏｕｐｌｉｎｇ）して減衰部１０６に伝達する。
【０００８】
すると、上記減衰部１０７は上記カップリング部１０４から伝達を受けた電力増幅された出力信号を減衰させて第２アナログ−ディジタル変換部１０５に伝達する。
【０００９】
すると、上記第２アナログ−ディジタル変換部１０６は、上記減衰部１０７から伝達を受けた減衰されたアナログ出力信号をディジタル出力信号に変換して上記前置歪み計算部１０５に伝達する。
【００１０】
上記前置歪み計算部１０５で計算された電力増幅装置１０３の非線形的な歪み特性（ＡＭ／ＡＭ、ＡＭ／ＰＭ）の逆は適応アルゴリズムやその他のアルゴリズムを用いて歪み情報（Ｍａｐｐｉｎｇ  ｔａｂｌｅ、Ｃｏｅｆｆｉｃｉｅｎｔｓ）を得るようになり、このように獲得された歪み情報は前置歪み部１０１に伝えられる。
【００１１】
すると、前置歪み部１０１は上記前置歪み計算部１０５から伝達を受けた歪み情報を用いて順覧表（ＬＵＴ：Ｌｏｏｋ  Ｕｐ  Ｔａｂｌｅ）方式または多項式（Ｐｏｌｙｎｏｍｉａｌ）方式などを用いて上記第１アナログ−ディジタル変換部１００からの入力信号を前置歪みさせる。
【００１２】
上記前置歪み部１０１で歪みされたディジタル入力信号はディジタル−アナログ変換部１０２でアナログ入力信号に変換されて電力増幅装置１０３に伝えられる。
【００１３】
それによって、上記前置歪み部１０１の前置歪み特性と上記電力増幅装置１０３の非線形的な歪み特性が互いに相殺されて、上記電力増幅装置１０３の出力信号は線形跡特性を有するようになる。
【００１４】
上記のように動作する一般的な前置歪みシステムは必ず電力増幅装置の出力信号（フィードバック信号）を必要とするメカニズムである。
【００１５】
したがって、前置歪みシステムの構成において、電力増幅装置の出力信号をカップリング（Ｃｏｕｐｌｉｎｇ）し、カップリングされた出力信号を減衰させ、減衰された出力信号をディジタル信号に変換する等のような動作を遂行するための種々の複雑な設備（カップリング部、減衰部、第２アナログ−ディジタル変換部等）が必要であり、それに従う費用も追加的にかかる問題がある。
【発明の概要】
【発明が解決しようとする課題】
【００１６】
前述したように、上記のような従来技術は、必ず電力増幅装置の出力信号（フィードバック信号）を必要とするため、種々の複雑な設備が必要であり、それに従う費用も追加的にかかる問題点があり、本発明はこのような問題点を解決することをその目的とする。
【００１７】
したがって、本発明は、事前に電力増幅装置の温度変化に従う入出力信号のＡＭ／ＡＭ（Ａｍｐｌｉｔｕｄｅ  Ｍｏｄｕｌａｔｉｏｎ／Ａｍｐｌｉｔｕｄｅ  Ｍｏｄｕｌａｔｉｏｎ）、ＡＭ／ＰＭ（Ａｍｐｌｉｔｕｄｅ  Ｍｏｄｕｌａｔｉｏｎ／Ｐｈａｓｅ  Ｍｏｄｕｌａｔｉｏｎ）特性情報（増幅特性情報）を電力増幅装置の内部の格納装置に格納して、ディジタル前置歪みシステムで上記格納された増幅特性情報に基づいて電力増幅装置の非線形性を補償することで、電力増幅装置の出力信号に対して線形特性を保証し、ディジタル前置歪みシステムの設備の簡素化及び費用低減のための増幅特性情報を有する電力増幅装置及びその方法と、それを用いた前置歪みシステム及びその方法を提供することをその目的とする。
【００１８】
本発明の目的は、前述した目的に制限されず、言及されていない本発明の他の目的及び長所は下記の説明により理解されることができ、本発明の実施形態により、一層明らかに知るようになる。また、本発明の目的及び長所は特許請求範囲に表した手段及びその組合により実現できることが容易に分かる。
【課題を解決するための手段】
【００１９】
上記の目的を達成するための本発明の装置は、電力増幅装置であって、アナログ入力信号をディジタル信号に変換するための第１アナログ−ディジタル変換部と、上記アナログ入力信号を電力増幅するための電力増幅部と、上記電力増幅部で増幅された信号を減衰させるための減衰部と、上記減衰部で減衰されたアナログ信号をディジタル信号に変換するための第２アナログ−ディジタル変換部と、上記第１アナログ−ディジタル変換部からの信号で上記電力増幅装置の入力特性を抽出し、上記第２アナログ−ディジタル変換部からの信号で上記電力増幅装置の出力特性を抽出して増幅特性情報を伝達するための特性抽出部と、上記特性抽出部から伝達を受けた増幅特性情報を格納するための電力増幅制御部と、を含む。
【００２０】
一方、上記の目的を達成するための本発明の方法は、電力増幅装置具現方法において、アナログ入力信号をディジタル信号に変換する第１信号変換ステップと、上記アナログ入力信号を電力増幅し、上記電力増幅されたアナログ信号を減衰させ、上記減衰されたアナログ信号をディジタル信号に変換する第２信号変換ステップと、上記第１信号変換ステップで変換された信号から上記電力増幅装置の入力特性を抽出し、上記第２信号変換ステップで変換された信号から上記電力増幅装置の出力特性を抽出して増幅特性情報を検出するステップと、上記検出された増幅特性情報を格納する格納ステップと、を含む。
【００２１】
一方、上記の目的を達成するための本発明のシステムは、前置歪みシステムにおいて、アナログ入力信号をディジタル信号に変換するためのアナログ−ディジタル変換部と、電力増幅装置からの増幅特性情報を前置歪み計算部に伝達するための通信制御部と、上記通信制御部からの増幅特性情報と上記アナログ−ディジタル変換部からの入力信号に基づいて上記増幅特性情報の逆増幅特性情報を計算するための上記前置歪み計算部と、上記前置歪み計算部からの逆増幅特性情報に従って上記アナログ−ディジタル変換部からのディジタル入力信号を前置歪みさせるための前置歪み部と、上記前置歪み部からのディジタル入力信号をアナログ信号に変換するためのディジタル−アナログ変換部と、上記ディジタル−アナログ変換部からの信号を電力増幅して出力し、上記通信制御部に上記増幅特性情報を伝達するための上記電力増幅装置と、を含む。
【００２２】
一方、上記の目的を達成するための本発明の他の方法は、前置歪み方法において、アナログ入力信号をディジタル信号に変換するステップと、既に格納されている電力増幅装置の増幅特性情報の伝達を受けるステップと、上記伝達を受けた増幅特性情報と上記ディジタル信号に変換された入力信号に基づいて上記増幅特性情報の逆増幅特性情報を計算するステップと、上記ディジタル信号に変換された入力信号を上記計算された逆増幅特性情報に従って前置歪みさせるステップと、上記前置歪みされたディジタル入力信号をアナログ信号に変換するステップと、上記アナログ信号に変換された信号を電力増幅して出力し、上記増幅特性情報を伝達するステップと、を含む。
【発明の効果】
【００２３】
上記のような本発明は、事前に電力増幅装置の温度変化に従う入出力信号のＡＭ／ＡＭ、ＡＭ／ＰＭ特性情報（増幅特性情報）を電力増幅装置の内部の格納装置に格納して、ディジタル前置歪みシステムにおける上記格納された増幅特性情報に基づいて電力増幅装置の非線形性を補償することで、電力増幅装置の出力信号に対して線形特性を保証することができ、またディジタル前置歪みシステムの設備を簡素化することができ、それによって設備費用を低減することができる効果がある。
【００２４】
即ち、本発明は事前に電力増幅装置の温度変化に従う入出力特性情報（増幅特性情報）を電力増幅装置の内部格納装置に格納して、前置歪み動作時、増幅特性情報を電力増幅装置の内部格納装置から読取って前置歪みを動作させることによって、既存の前置歪み動作時に必要とする電力増幅装置の出力信号をカップリングするカプラー（Ｃｏｕｐｌｅｒ）、カップリングされた信号を減衰させる減衰器（Ａｔｔｅｎｕａｔｏｒ）、減衰された信号をディジタル変換するアナログ−ディジタル変換器（ＡＤＣ：Ａｎａｌｏｇ  ｔｏ  Ｄｉｇｉｔａｌ  Ｃｏｎｖｅｒｔｅｒ）などの複雑な設備をしなくて、簡単にディジタル前置歪みシステム（Ｄｉｇｉｔａｌ  Ｐｒｅｄｉｓｔｏｒｔｅｒ）を具現できるだけでなく、電力増幅装置の温度変化に従う非線形的歪み特性を補償することができる効果がある。
【図面の簡単な説明】
【００２５】
【図１】一般的な前置歪みシステムの一実施形態の構成図である。
【図２】一般的な電力増幅装置の一実施形態の構成図である。
【図３】本発明に従う増幅特性情報を有する電力増幅装置の一実施形態の構成図である。
【図４】本発明に従う増幅特性情報を有する電力増幅装置の具現方法に対する一実施形態のフローチャートである。
【図５】本発明に従う電力増幅装置のフィードバック信号を使用しない前置歪みシステムの一実施形態の構成図である。
【図６】本発明に従う電力増幅装置のフィードバック信号を使用しない前置歪み方法に対する一実施形態のフローチャートである。
【発明を実施するための形態】
【００２６】
前述した目的、特徴、及び長所は、添付された図面を参照して詳細に後述されている詳細な説明を通じてより明確になり、それによって、本発明が属する技術分野で通常の知識を有する者が本発明の技術的思想を容易に実施することができる。また、本発明を説明するに当たって、本発明と関連した公知技術に対する具体的な説明が本発明の要旨を不要に曖昧にすることができると判断される場合に、その詳細な説明を省略する。以下、添付の図面を参照して本発明に従う好ましい実施形態を詳細に説明する。
【００２７】
そして、明細書の全体で、どの部分が他の部分と“連結”されているとする時、これは“直接的に連結”されている場合だけでなく、その中間に他の素子を挟んで“電気的に連結”されている場合も含む。また、どの部分がどの構成要素を“包含”または“具備”するという時、これは特別に反対になる記載がない限り、他の構成要素を除外するのでなく、他の構成要素をさらに包含または具備することができることを意味する。
【００２８】
図２は、一般的な電力増幅装置の一実施形態の構成図である。
【００２９】
図２に示すように、一般的な電力増幅装置は、入力信号を増幅して信号を出力するための増幅部２００、及び上記増幅部２００の増幅動作を制御し監視し、データ格納機能を有する電力増幅制御部２０１を含む。
【００３０】
ここで、上記電力増幅制御部２０１の機能をより詳細に説明すると、上記電力増幅制御部２０１は、増幅部２００の口／出力信号監視、増幅部２００のオン／オフ（ｏｎ／ｏｆｆ）制御、電源駆動、フラッシュメモリ（ｆｌａｓｈ  ｍｅｍｏｒｙ）を使用したデータ格納、増幅部２００の温度監視などの機能を遂行する主制御装置（ＭＣＵ：Ｍａｉｎ  Ｃｏｎｔｒｏｌ  Ｕｎｉｔ）ということができる。
【００３１】
図３は、本発明に従う増幅特性情報を有する電力増幅装置の一実施形態の構成図である。
【００３２】
図３に示すように、本発明に従う増幅特性情報を有する電力増幅装置は、アナログ入力信号を電力増幅するための電力増幅部３１１、アナログ入力信号をディジタル信号に変換するための第１アナログ−ディジタル変換部３３０、上記電力増幅部３１１で増幅された信号を減衰させるための減衰部３２０、上記減衰部３２０で減衰されたアナログ信号をディジタル信号に変換するための第２アナログ−ディジタル変換部３５０、上記第１アナログ−ディジタル変換部３３０からの信号で電力増幅装置の入力特性を抽出し、上記第２アナログ−ディジタル変換部３５０からの信号で電力増幅装置の出力特性を抽出して電力増幅装置３１０の電力増幅制御部３１２に増幅特性情報を伝達するための特性抽出部３４０、及び上記特性抽出部３４０から伝達を受けた増幅特性情報を格納するための電力増幅制御部３１２を含む。
【００３３】
ここで、上記電力増幅制御部３１２は、上記特性抽出部３４０から伝達を受けた上記電力増幅装置３１０の入出力特性情報（増幅特性情報）を電力増幅装置３１０の温度に従って格納する。即ち、上記電力増幅制御部３１２は、電力増幅装置３１０の温度変化に従う入出力信号のＡＭ／ＡＭ（Ａｍｐｌｉｔｕｄｅ  Ｍｏｄｕｌａｔｉｏｎ／Ａｍｐｌｉｔｕｄｅ  Ｍｏｄｕｌａｔｉｏｎ）、ＡＭ／ＰＭ（Ａｍｐｌｉｔｕｄｅ  Ｍｏｄｕｌａｔｉｏｎ／Ｐｈａｓｅ  Ｍｏｄｕｌａｔｉｏｎ）特性情報（増幅特性情報）を格納する。この際、温度変化に従う格納周期や方法（ｓａｍｐｌｉｎｇ、ｉｎｔｅｒｐｏｌａｔｉｏｎ、その他）及び格納部（例：フラッシュメモリ）の容量などによってその具現例は種々の変形や変更が可能である。
【００３４】
上記のように具現された電力増幅装置３１０は、増幅特性情報を内部格納部に有するようになる。このように、事前に増幅特性情報を格納している電力増幅装置３１０を用いて後述される図５の“電力増幅装置のフィードバック信号を使用しない前置歪みシステム”を具現することができる。
【００３５】
図４は、本発明に従う増幅特性情報を有する電力増幅装置の具現方法に対する一実施形態のフローチャートである。
【００３６】
まず、第１アナログ−ディジタル変換部３３０がアナログ入力信号をディジタル信号に変換する（４０１）。
【００３７】
そして、電力増幅部３１１が上記アナログ入力信号を電力増幅し（４０２）、減衰部３２０が上記電力増幅部３１１で増幅された信号を減衰させ（４０３）、第２アナログ−ディジタル変換部３５０が上記減衰部３２０で減衰されたアナログ信号をディジタル信号に変換する（４０４）。
【００３８】
以後、特性抽出部３４０が上記第１アナログ−ディジタル変換部３３０からの信号で電力増幅装置の入力特性を抽出し、上記第２アナログ−ディジタル変換部３５０からの信号で電力増幅装置の出力特性を抽出して電力増幅装置３１０の電力増幅制御部３１２に増幅特性情報を伝達する（４０５）。
【００３９】
すると、電力増幅制御部３１２が上記特性抽出部３４０から伝達を受けた増幅特性情報を格納する（４０６）。この際、上記電力増幅制御部３１２は、上記特性抽出部３４０から伝達を受けた上記電力増幅装置３１０の入出力特性情報（増幅特性情報）を電力増幅装置３１０の温度に従って格納する。即ち、上記電力増幅制御部３１２は、電力増幅装置３１０の温度変化に従う入出力信号のＡＭ／ＡＭ（Ａｍｐｌｉｔｕｄｅ  Ｍｏｄｕｌａｔｉｏｎ／Ａｍｐｌｉｔｕｄｅ  Ｍｏｄｕｌａｔｉｏｎ）、ＡＭ／ＰＭ（Ａｍｐｌｉｔｕｄｅ  Ｍｏｄｕｌａｔｉｏｎ／Ｐｈａｓｅ  Ｍｏｄｕｌａｔｉｏｎ）特性情報（増幅特性情報）を格納する。
【００４０】
図５は、本発明に従う電力増幅装置のフィードバック信号を使用しない前置歪みシステムの一実施形態の構成図である。
【００４１】
図５に示すように、本発明に従う電力増幅装置のフィードバック信号を使用しない前置歪みシステムは、アナログ入力信号をディジタル信号に変換するためのアナログ−ディジタル変換部５１０、電力増幅装置５４０の電力増幅制御部５４２から電力増幅装置５４０の増幅特性情報の伝達を受けて前置歪み計算部５６０に伝達するための通信制御部５５０、上記通信制御部５５０から伝達を受けた電力増幅装置５４０の増幅特性情報と上記アナログ−ディジタル変換部５１０でディジタル信号に変換された入力信号に基づいて電力増幅装置５４０の増幅特性情報の逆増幅特性情報を計算するための前置歪み計算部５６０、上記前置歪み計算部５６０からの逆増幅特性情報に従って上記アナログ−ディジタル変換部５１０からのディジタル入力信号を前置歪みさせるための前置歪み部５２０、上記前置歪み部５２０で前置歪みされたディジタル入力信号をアナログ信号に変換するためのディジタル−アナログ変換部５３０、及び上記ディジタル−アナログ変換部５３０からの前置歪みされた入力信号を電力増幅して出力信号に伝達し、上記通信制御部５５０に電力増幅装置５４０の増幅特性情報（入出力特性情報）を伝達するための電力増幅装置５４０を含む。
【００４２】
ここで、上記前置歪み計算部５６０は、ディジタル信号に変換された入力信号と事前に電力増幅装置５４０の電力増幅制御部５４２に格納されている電力増幅装置５４０の増幅特性情報（入出力特性情報）に基づいて適応アルゴリズム（例：ＲＬＳ、ＬＭＳ等）、その他のアルゴリズムなどを用いて逆増幅特性情報、即ち歪み情報（Ｍａｐｐｉｎｇ  ｔａｂｌｅ、Ｃｏｅｆｆｉｃｉｅｎｔｓ）を得るようになる。
【００４３】
上記ディジタル信号に変換された入力信号を、順覧表（ＬＵＴ）、多項式（Ｐｏｌｙｎｏｍｉａｌ）などの技術を適用して前置歪み部５２０で上記逆増幅特性情報（歪み情報）に従って前置歪みさせて電力増幅装置５４０の非線形的歪み特性を補償して線形化された出力を保証する。
【００４４】
そして、電力増幅装置５４０は、上記ディジタル−アナログ変換部５３０からの前置歪みされた入力信号を電力増幅して出力するための電力増幅部５４１、及び既に格納されている電力増幅装置５４０の増幅特性情報（入出力特性情報）を上記通信制御部５５０に伝達するための電力増幅制御部５４２を含む。
【００４５】
上記のような動作は、前置歪み動作において既存の前置歪み計算のための訓練モード（Ｔｒａｉｎｉｎｇ  Ｍｏｄｅ）を必要としなくなる。
【００４６】
そして、電力増幅装置５４０の温度変化に従う増幅特性情報を上記電力増幅制御部５４２から持ってきて上記前置歪み計算部５６０が電力増幅装置５４０の非線形歪み特性の逆を計算するので、電力増幅装置５４０の温度補償を適切にすることができ、適応アルゴリズムを使用する場合、速い収束を予想することができる。
【００４７】
図６は、本発明に従う電力増幅装置のフィードバック信号を使用しない前置歪み方法に対する一実施形態のフローチャートである。
【００４８】
まず、アナログ−ディジタル変換部５１０がアナログ入力信号をディジタル信号に変換する（６０１）。
【００４９】
そして、通信制御部５５０が電力増幅装置５４０の電力増幅制御部５４２から電力増幅装置５４０の増幅特性情報の伝達を受けて前置歪み計算部５６０に伝達する（６０２）。
【００５０】
すると、前置歪み計算部５６０が上記通信制御部５５０から伝達を受けた電力増幅装置５４０の増幅特性情報と上記アナログ−ディジタル変換部５１０でディジタル信号に変換された入力信号に基づいて電力増幅装置５４０の増幅特性情報の逆増幅特性情報を計算する（６０３）。
【００５１】
以後、前置歪み部５２０が上記前置歪み計算部５６０からの逆増幅特性情報に従って上記アナログ−ディジタル変換部５１０からのディジタル入力信号を前置歪みさせる（６０４）。
【００５２】
以後、ディジタル−アナログ変換部５３０が上記前置歪み部５２０で前置歪みされたディジタル入力信号をアナログ信号に変換する（６０５）。
【００５３】
以後、電力増幅装置５４０が上記ディジタル−アナログ変換部５３０からの前置歪みされた入力信号を電力増幅して出力信号に伝達し、上記通信制御部５５０に電力増幅装置５４０の増幅特性情報（入出力特性情報）を伝達する（６０６）。
【００５４】
以上のように、本発明はたとえ限定された実施形態と図面により説明されたが、本発明は上記の実施形態に限定されるのではなく、本発明が属する技術分野で通常の知識を有する者であれば、このような記載から本発明の技術的思想を逸脱しない範囲内で多様な置換、変形、及び変更が可能である。
【００５５】
したがって、本発明の範囲は説明された実施形態に限定されて定まってはならず、後述する特許請求範囲だけでなく、この特許請求範囲とその均等物により定まるべきである。
【産業上の利用可能性】
【００５６】
本発明は、無線通信システムなどに利用できる。
【符号の説明】
【００５７】
５１０    アナログ−ディジタル変換部
５２０    前置歪み部
５３０    ディジタル−アナログ変換部
５４０    電力増幅装置
５５０    通信制御部
５６０    前置歪み計算部
【図１】
2011211684.tif 000003
【図２】
2011211684.tif 000004
【図３】
2011211684.tif 000005
【図４】
2011211684.tif 000006
【図５】
2011211684.tif 000007
【図６】
2011211684.tif 000008